(57)【要約】【課題】  屋外に設置されたエレベータにおいて、かご戸の意匠や形状等に関わらず、また、かごの意匠性を損なうことなく、かご戸のかご室側側面に付着した水滴のかご室内への侵入を防止することができるエレベータのかご戸の雨水付着防止装置を得る。【解決手段】  エレベータ昇降路内を昇降するかごと、このかごの乗場側に設けられたかご戸と、降雨を検出する降雨センサと、この降雨センサによって降雨が検出されている場合に、かご戸の戸開に基づいて空気を送る送風手段と、かご戸及びかごの袖壁の間に設けられ、かご戸に対して高圧空気を吹き付ける吹出し口ユニットとを備える。【選択図】      図２
2005225626.tif 000002
【特許請求の範囲】
【請求項１】
エレベータ昇降路内を昇降するかごと、このかごの乗場側に設けられたかご戸と、降雨を検出する降雨センサと、この降雨センサによって降雨が検出されている場合に、前記かご戸の戸開に基づいて空気を送る送風手段と、前記かご戸及び前記かごの袖壁の間に設けられ、前記かご戸に対して高圧空気を吹き付ける吹出し口ユニットとを備えたことを特徴とするエレベータのかご戸の雨水付着防止装置。
【請求項２】
吹出し口ユニットは、かご戸の上面及びかご室側側面の上下方向に渡って、高圧空気を吹き付けることを特徴とする請求項１記載のエレベータのかご戸の雨水付着防止装置。
【請求項３】
吹出し口ユニットは、かご戸に対して、かご室出入口側から反かご室出入口側に斜めに高圧空気を吹き付けることを特徴とする請求項１又は請求項２に記載のエレベータのかご戸の雨水付着防止装置。
【請求項４】
かご戸は、全開時に、反かご室出入口側端部が、かご室の側面から突出することを特徴とする請求項１から請求項３の何れかに記載のエレベータのかご戸の雨水付着防止装置。
【発明の詳細な説明】
【技術分野】
【０００１】
この発明は、屋外に設置されるエレベータのかご戸の雨水付着防止装置に関するものである。
【背景技術】
【０００２】
屋外に設置される従来のエレベータ装置には、雨水等が飛散して浸入することを防止する飛散水浸入防止装置として、かごのかご戸上部に配置され、このかご戸と並行するように延設されるとともに、長手方向の一端が他端より下方に位置するように傾斜して取付けられるかご側飛散浸入防止部材と、各階床の乗場の戸上部に配置され、この乗場の戸と並行するように延設されるとともに、かご側飛散浸入防止部材と対向可能なように傾斜して取付けられる乗場側飛散浸入防止部材とを備えたものがある（例えば、特許文献１参照）。
【０００３】
【特許文献１】特開２００２−３６２８６９号公報
【発明の開示】
【発明が解決しようとする課題】
【０００４】
特許文献１記載のエレベータの飛散水浸入防止装置では、かごが乗場に停止して、かご戸及び乗場の戸が開いた際に、かご戸上部に設置されたかご側飛散浸入防止部材と乗場の戸上部に設置された乗場側飛散浸入防止部材とが互いに対向するように配置されているため、かごと乗場との間に形成された上部間隙を実質的に塞ぐことが可能となる。このため、かごと乗場との間に雨水等の飛散水が落下浸入することを防止でき、乗降する乗客に雨水等の飛散水が降り掛かる恐れがなくなる。しかし、かご戸の幅に対して袖壁の幅が狭いために、かご戸の全開時にかご戸の一端部がかごの外側に突出してしまうようなエレベータ装置では、降雨時の戸開によってかご戸のかご室側側面に雨水等の水滴が付着し、その後の戸閉によってかご戸に付着した水滴がかご室内に運ばれてしまうことがあった。このため、かご室の床面に水滴が滴ったり、かご室内の乗客がかご戸に接触することによって衣服に水滴が付着してしまったりするという問題が生じていた。
【０００５】
また、先行特許出願記載のエレベータのかご戸装置には、エレベータのかご室内のかご室出入口側方に設けられた袖壁及びエレベータのかごのかご室出入口側に設けられたかご戸の間の固定体に、一端部がかご戸のかご室側側面に接触する雨水付着防止装置を設けることによって、かご戸のかご室側側面に付着した水滴のかご室内への侵入を防止するものも考えられている。しかし、このようなかご戸装置では、かご戸のかご室側側面に付着した雨水等の水滴を除去する雨水付着防止装置として、例えばゴム製の水切りが使用されているため、かご戸のかご室側側面に硬い砂等が付着している場合には、かご戸の開閉時に、水切りとかご戸との間に砂が挟まり、かご戸のかご室側意匠面を傷つけてしまうという問題が生じていた。また、かご戸に窓が設けられている場合のように、かご戸のかご室側側面に凹凸が形成されている場合には、ゴム製の水切りでは付着した水滴を完全には除去することができないという問題もあった。
【０００６】
この発明は、上述のような課題を解決するためになされたもので、その目的は、屋外に設置されたエレベータにおいて、かご戸の意匠や形状等に関わらず、また、かごの意匠性を損なうことなく、かご戸のかご室側側面に付着した水滴のかご室内への侵入を防止することができるエレベータのかご戸の雨水付着防止装置を提供することである。
【課題を解決するための手段】
【０００７】
この発明に係るエレベータのかご戸の雨水付着防止装置は、エレベータ昇降路内を昇降するかごと、このかごの乗場側に設けられたかご戸と、降雨を検出する降雨センサと、この降雨センサによって降雨が検出されている場合に、かご戸の戸開に基づいて空気を送る送風手段と、かご戸及びかごの袖壁の間に設けられ、かご戸に対して高圧空気を吹き付ける吹出し口ユニットとを備えたものである。
【発明の効果】
【０００８】
この発明は、エレベータ昇降路内を昇降するかごと、このかごの乗場側に設けられたかご戸と、降雨を検出する降雨センサと、この降雨センサによって降雨が検出されている場合に、かご戸の戸開に基づいて空気を送る送風手段と、かご戸及びかごの袖壁の間に設けられ、かご戸に対して高圧空気を吹き付ける吹出し口ユニットとを備える構成としたことで、屋外に設置されたエレベータにおいて、かご戸の意匠や形状等に関わらず、また、かごの意匠性を損なうことなく、かご戸のかご室側側面に付着した水滴のかご室内への侵入を防止することができる。
【発明を実施するための最良の形態】
【０００９】
実施の形態１．
図１はこの発明の実施の形態１におけるエレベータのかごを示す正面図、図２はこの発明の実施の形態１におけるエレベータのかご戸の雨水付着防止装置の横断面図、図３はこの発明の実施の形態１におけるエレベータのかご戸の雨水付着防止装置の要部斜視図である。図において、エレベータ昇降路内を昇降するかご室１には、建築物各階の乗場に設けられた乗場の戸（図示せず）に対向するように、２つのかご戸２が設けられている。このかご戸２は、かご室１の乗場側上部に設けられたかご戸駆動装置（図示せず）によって駆動され、戸開時に、下方に設けられた敷居（図示せず）の溝に案内されてかご室１の両側方向に移動する。なお、図１はかご戸２の戸閉完了時、また、図２は一方のかご戸２の全開時をそれぞれ示している。また、図１に示すように、戸閉完了時におけるかご戸２の直ぐ両側には、このかご戸２の高さと略同高さを有する吹出し口ユニット３がそれぞれ立設されている。また、上面の一部がかご室１の床面を形成するかご床４は、かご室１の上下左右を取り囲むように設けられた四角環状を呈するかご枠５の下部に固定されている。このかご枠５は、かご床４が固定された下枠（図示せず）と、この下枠の両端部にそれぞれ立設された縦枠５ａと、この縦枠５ａの上端部に跨って平行に設けられた上枠５ｂとから構成されており、この上枠５ｂの中央部に、吊車（図示せず）が回動可能に設けられている。また、この上枠５ｂ上面のかご室１上方となる位置には、雨が降っていることを検出する感雨計等の降雨センサ６及びこの降雨センサ６によって雨が降っていることが検出されている場合に、上記かご戸２の戸開によってコンプレッサや送風機等により空気を送る送風手段７が設けられている。かご室１上方に設けられたこの送風手段７と前述した吹出し口ユニット３とは配管８によって連結されており、降雨センサ６による降雨検出及びかご戸２の戸開がなされた際に送風手段７から送られる空気は、この配管８を通って吹出し口ユニット３に運ばれる。
【００１０】
図２は、かご戸２の全開時における図１のＡ−Ａ断面を示す図である。
図２及び図３において、かご室１内のかご室壁１ａは、両端部がそれぞれコ字状に曲成された複数のパネルから構成されている。また、かご室出入口９の両側に設けられたパネル１０は、Ｌ字状に曲成されて、一側がかご操作盤（図示せず）等が設置される袖壁１０ａを、また、他側がかご室出入口９の側壁１０ｂを形成している。この袖壁１０ａ側一端部はさらに乗場側にＬ字状に曲成され、その固定部がかご室１内の乗客から見えないようにかご室壁１ａを形成するパネルに固定されている。また、側壁１０ｂ側他端部は、反かご室出入口９側にさらにＬ字状に曲成されており、この他端部と僅かな間隙を有するようにかご戸２が配置されている。このかご戸２は、全開時に、かご室出入口９側一端部が側壁１０ｂと略面一となり、且つ、反かご室出入口９側他端部がかご室１側面よりも外側に突出するように配置されている。このかご戸２と袖壁１０ａとの間の、かご室出入口９側に設けられた吹出し口ユニット３には、上部が配管８と連結された円筒状を呈する本体３ａと、この本体３ａにそれぞれ所定の間隔を空けて上下一列に設けられた複数の吹出し口３ｂと、本体３ａの周囲を覆うカバー３ｃとが備えられている。そして、送風手段７から出力され、配管８を通って本体３ａに達した空気が、所定の圧力でかご戸２のかご室１側側面に吹き付けられるように、吹出し口３ｂの大きさや形状、及び、吹出し口３ｂとかご戸２のかご室１側側面との距離等が設定されている。また、この吹出し口３ｂは、高圧空気が、かご戸２の上面及びかご室１側側面の上下方向に渡って吹き付けられ、さらに、かご戸２のかご室１側側面に対してかご室出入口９側から反かご室出入口９側に向かって斜めに吹き付けられるように、かご戸２に対して本体３ａに斜めに形成されている。なお、この吹出し口ユニット３は、袖壁１０ａとかご戸２との間に配置されているため、かご室１内及びかご室出入口９の乗客の視界に入るようなことはない。また、吹出し口ユニット３とかご戸２との間には所定の間隙が形成されている。
【００１１】
次に、このかご戸２の雨水付着防止装置の動作について説明する。
かご室１の上方に設置された降雨センサ６によって、雨が降っていることが検知されると、送風機等の送風手段７が動作可能な状態となる。この状態の時にかご戸２が開くと、かご戸２の戸開情報に基づいて送風手段７が起動し、この送風手段７から空気が送られる。この空気は、配管８を介して吹出し口ユニット３に達し、吹出し口３ｂから高圧空気として出力される。かご戸２は、戸開後、乗客の乗降のために全開状態を暫く保つが、この時、かご戸２の反かご室出入口９側端部はかご室１の側面よりも外側に突出しているため、このかご戸２の突出部分の上面及びかご室１側側面には、雨による水滴が付着する。かご戸２の戸閉が開始されると、かご戸２のかご室１側側面等に付着した水滴は、吹出し口３ｂからかご室１の外側に向かって斜めに吹き付けられる高圧空気によって反かご室出入口９側に力を受け、吹出し口ユニット３よりもかご室出入口９側に運ばれることはない。かご戸２の戸閉が完了すると、送風手段７が停止して、吹出し口３ｂからの高圧空気の出力も停止する。
【００１２】
この発明の実施の形態１によれば、屋外に設けられたエレベータ装置では、降雨時の戸開動作によってかご戸２のかご室１側側面及び上面に付着した水滴は、その戸閉時に、吹出し口ユニット３の吹出し口３ｂから外側に向かって斜めに吹き付けられる高圧空気によって除去されるため、吹出し口ユニット３よりもかご室出入口９側に運ばれることがない。また、かご戸２に付着した水滴に対して所定の圧力を有する高圧空気を吹き付けて除去しているため、かご戸２のかご室１側意匠面を傷つけたりする恐れはなく、また、かご戸２のかご室１側側面に凹凸が形成されている場合でも、確実に水滴を除去することができる。また、かご戸２の戸開時に送風手段７を起動させているため、戸閉開始時には、確実に高圧空気が吹出し口３ｂからかご戸２に対して吹き付けられており、送風手段７が起動して高圧空気が配管８を通って吹出し口３ｂに達する前に、戸閉が行われるような恐れはない。さらに、吹出し口ユニット３は、かご戸２及び袖壁１０ａを構成するパネル１０によって、かご室１内、かご室出入口９及び乗場等から乗客の視界に入るようなことはないため、エレベータ装置の意匠性を損なう恐れもない。
【００１３】
なお、実施の形態１では、かご戸２はかご室１の両側に移動して開く構成を有しているが、かご戸２が片側のみに開く場合には、かご戸２が移動する側の袖壁１０ａとかご戸２との間のかご室出入口９側に、１つの吹出し口ユニット３を設ける構成としても実施の形態１と同様の効果を得ることは言うまでもない。また、かご戸２に付着した水滴を早く下方に落とすため、吹出し口ユニット３からの高圧空気が、かご戸２に対して、かご室出入口９側からかご室１の外側に向かって斜めに吹き付けられるとともに、上方から下方に向かって斜めに吹き付けられるような構成とすることも可能である。
【図面の簡単な説明】
【００１４】
【図１】この発明の実施の形態１におけるエレベータのかごを示す正面図である。
【図２】この発明の実施の形態１におけるエレベータのかご戸の雨水付着防止装置の横断面図である。
【図３】この発明の実施の形態１におけるエレベータのかご戸の雨水付着防止装置の要部斜視図である。
【符号の説明】
【００１５】
１  かご室
１ａ  かご室壁
２  かご戸
３  吹出し口ユニット
３ａ  本体
３ｂ  吹出し口
３ｃ  カバー
４  かご床
５  かご枠
５ａ  縦枠
５ｂ  上枠
６  降雨センサ
７  送風手段
８  配管
９  かご室出入口
１０  パネル
１０ａ  袖壁
１０ｂ  側壁
【図１】
2005225626.tif 000003
【図２】
2005225626.tif 000004
【図３】
2005225626.tif 000005